(57)【要約】【課題】ケーシング外部への漏水に対応すること。【解決手段】実施形態に係る衛生洗浄装置は、ケーシングと、排水路と、漏水検知部とを備える。ケーシングは、便器上に取り付けられ水路系および機能部を内部に収容する。排水路は、ケーシングの内部において水路系から排出された水を便器へ導く。漏水検知部は、ケーシングの内部における排水路以外の位置に配置され機能部から漏れ出た水を検知する。【選択図】図７
2019167780.tif 000002
【特許請求の範囲】
【請求項１】
便器上に取り付けられ水路系および機能部を内部に収容するケーシングと、
前記ケーシングの内部において前記水路系から排出された水を前記便器へ導く排水路と、
前記ケーシングの内部における前記排水路以外の位置に配置され前記機能部から漏れ出た水を検知する漏水検知部と
を備えることを特徴とする衛生洗浄装置。
【請求項２】
前記ケーシングの内部において前記機能部から漏れ出た水を前記便器へ導くメイン排水路を備え、
前記漏水検知部は、前記ケーシングの内部における前記メイン排水路以外の位置に配置されること
を特徴とする請求項１に記載の衛生洗浄装置。
【請求項３】
前記ケーシングの内部において前記メイン排水路から漏れ出た水を前記便器へ導くサブ排水路を備え、
前記漏水検知部は、前記サブ排水路に配置されること
を特徴とする請求項２に記載の衛生洗浄装置。
【請求項４】
前記サブ排水路に設けられ、前記サブ排水路において高さが最も低いバッファ部を備え、
前記漏水検知部は、前記サブ排水路における前記バッファ部の上流に配置されること
を特徴とする請求項３に記載の衛生洗浄装置。
【請求項５】
前記ケーシングの内部に設けられ該ケーシングの内部において結露を防止するための送風源である結露防止ユニットを備え、
前記サブ排水路は、前記結露防止ユニットの近傍を通過する経路であり、
前記漏水検知部は、前記結露防止ユニットの近傍に配置されること
を特徴とする請求項３または４に記載の衛生洗浄装置。
【請求項６】
前記機能部は、定期的に機能水を吐出する吐水部を有する脱臭ユニットであること
を特徴とする請求項１〜５のいずれか一つに記載の衛生洗浄装置。
【請求項７】
前記漏水検知部は、水を検知してから所定時間経過後に水を検知した場合に該水を前記機能部から漏れ出た水として検知すること
を特徴とする請求項６に記載の衛生洗浄装置。
【請求項８】
トイレルーム内の人を検知する人体検知部を備え、
前記機能部は、前記人体検知部が人を検知していないタイミングで機能水を吐水し、
前記漏水検知部は、前記機能部において機能水を吐水するタイミングで水を検知した場合に該水を前記機能部から漏れ出た水として検知すること
を特徴とする請求項６または７に記載の衛生洗浄装置。
【請求項９】
前記機能部は、前記漏水検知部が該機能部の漏水を検知した場合に停止されること
を特徴とする請求項６〜８のいずれか一つに記載の衛生洗浄装置。
【請求項１０】
前記漏水検知部は、水が接触することで該水の有無を検出する接触式センサであること
を特徴とする請求項１〜９のいずれか一つに記載の衛生洗浄装置。
【発明の詳細な説明】
【技術分野】
【０００１】
開示の実施形態は、衛生洗浄装置に関する。
【背景技術】
【０００２】
従来、ケーシングの内部に収容され洗浄ノズルや縁切りタンクなどの水路系からの水を、ケーシングの内部から便器（ボウル部）に向けて排出する排水路を備える衛生洗浄装置が知られている（たとえば、特許文献１参照）。
【先行技術文献】
【特許文献】
【０００３】
【特許文献１】特開２００６−２８３４００号公報
【発明の概要】
【発明が解決しようとする課題】
【０００４】
しかしながら、上記したような従来の衛生洗浄装置は、水路系と共にケーシングの内部に収容された機能部から漏れ出た水に対して水路系の排水路が機能するものではない。たとえば、機能部である脱臭ユニットで水が使用される場合にはケーシングの内部において脱臭ユニットから水が漏れ出るおそれがあるが、脱臭ユニットから水が漏れ出た場合には排水路以外に水が流れ、意図しない場所に水が漏れ出る可能性がある。
【０００５】
このように、従来の衛生洗浄装置は、意図しない場所に水が漏れ出ること、すなわち、ケーシング外部への漏水に対して改善の余地があった。
【０００６】
実施形態の一態様は、機能部からの漏水を検知することができ、ケーシング外部への漏水に対応することができる衛生洗浄装置を提供することを目的とする。
【課題を解決するための手段】
【０００７】
実施形態の一態様に係る衛生洗浄装置は、便器上に取り付けられ水路系および機能部を内部に収容するケーシングと、前記ケーシングの内部において前記水路系から排出された水を前記便器へ導く排水路と、前記ケーシングの内部における前記排水路以外の位置に配置され前記機能部から漏れ出た水を検知する漏水検知部とを備えることを特徴とする。
【０００８】
かかる構成によれば、水路系以外の機能部から水が漏れ出た場合に、この漏水を検知することができる。たとえば、機能部からの漏水を検知した場合に機能部を停止することで、ケーシング外部への漏水を抑えることができる。すなわち、ケーシング外部への漏水についていち早く対応することができる。
【０００９】
また、上記した衛生洗浄装置では、前記ケーシングの内部において前記機能部から漏れ出た水を前記便器へ導くメイン排水路を備え、前記漏水検知部は、前記ケーシングの内部における前記メイン排水路以外の位置に配置されることを特徴とする。
【００１０】
かかる構成によれば、メイン排水路によって機能部から漏れ出た水を排出することができ、さらに、メイン排水路から水が漏れ出た場合でも、この漏水を検知することができるため、たとえば、機能部からの漏水を検知した場合に機能部を停止することで、ケーシング外部への漏水をより確実に抑えることができる。
【００１１】
また、上記した衛生洗浄装置では、前記ケーシングの内部において前記メイン排水路から漏れ出た水を前記便器へ導くサブ排水路を備え、前記漏水検知部は、前記サブ排水路に配置されることを特徴とする。
【００１２】
かかる構成によれば、サブ排水路によってメイン排水路から漏れ出た水を排出することができるとともに、メイン排水路からの漏水を直接検知することができるため、たとえば、機能部からの漏水を検知した場合に機能部を停止することで、ケーシング外部への漏水をより確実に抑えることができる。
【００１３】
また、上記した衛生洗浄装置では、前記サブ排水路に設けられ、前記サブ排水路において高さが最も低いバッファ部を備え、前記漏水検知部は、前記サブ排水路における前記バッファ部の上流に配置されることを特徴とする。
【００１４】
かかる構成によれば、サブ排水路によってメイン排水路から漏れ出た水を排出する場合に、漏水を検知した初期段階においてバッファ部に水が溜まるため、漏水を検知してからケーシング外部に水が漏れ出すまでの時間を稼ぐことができる。
【００１５】
また、上記した衛生洗浄装置では、前記ケーシングの内部に設けられ該ケーシングの内部において結露を防止するための送風源である結露防止ユニットを備え、前記サブ排水路は、前記結露防止ユニットの近傍を通過する経路であり、前記漏水検知部は、前記結露防止ユニットの近傍に配置されることを特徴とする。
【００１６】
かかる構成によれば、漏水検知部が送風源である結露防止ユニットの近傍に配置されることで、漏水検知部が結露に濡れることを抑えることができ、漏水検知部が漏水以外の結露を検知するといった誤検知を防止することができる。
【００１７】
また、上記した衛生洗浄装置では、前記機能部は、定期的に機能水を吐出する吐水部を有する脱臭ユニットであることを特徴とする。
【００１８】
かかる構成によれば、機能水を吐出することから水が漏れ出す可能性が高い脱臭ユニットからの漏水を検知することができる。これにより、ケーシング外部への漏水をより効果的に抑えることができる。
【００１９】
また、上記した衛生洗浄装置では、前記漏水検知部は、水を検知してから所定時間経過後に水を検知した場合に該水を前記機能部から漏れ出た水として検知することを特徴とする。
【００２０】
かかる構成によれば、漏水検知部が一定時間内に複数回水を検知することで、機能部からの漏水と判断することができる。このため、結露などの漏水以外の検知（誤検知）を防止することができる。これにより、ケーシング外部への漏水をより確実に抑えることができる。
【００２１】
また、上記した衛生洗浄装置では、トイレルーム内の人を検知する人体検知部を備え、前記機能部は、前記人体検知部が人を検知していないタイミングで機能水を吐水し、前記漏水検知部は、前記機能部において機能水を吐水するタイミングで水を検知した場合に該水を前記機能部から漏れ出た水として検知することを特徴とする。
【００２２】
かかる構成によれば、漏水検知部が機能部において機能水を吐水するタイミングで水を検知することで、機能部からの漏水と判断することができる。また、漏水検知部による水の検知が人がいないタイミングに限定されるため、たとえば、清掃時に浸入した水や機能部の他の機能による水（たとえば、おしり洗浄時の結露）などの漏水以外の検知（誤検知）を防止することができる。
【００２３】
また、上記した衛生洗浄装置では、前記機能部は、前記漏水検知部が該機能部の漏水を検知した場合に停止されることを特徴とする。
【００２４】
かかる構成によれば、たとえば、機能部が脱臭ユニットである場合、漏水検知部が機能部からの漏水を検知した場合に機能部である脱臭ユニットのみの機能を停止することで、機能部における他の機能を停止することなく、すなわち、使い勝手を落とすことなく、ケーシング外部への漏水を抑えることができる。
【００２５】
また、上記した衛生洗浄装置では、前記漏水検知部は、水が接触することで該水の有無を検出する接触式センサであることを特徴とする。
【００２６】
かかる構成によれば、少量の水で漏水検知が可能となり、かつ、漏水検知部に対して水のヘッド圧しかかからないため、漏水検知を簡素な構成で実現することができる。
【発明の効果】
【００２７】
実施形態の一態様によれば、機能部からの漏水を検知することができ、ケーシング外部への漏水に対応することができる。
【図面の簡単な説明】
【００２８】
【図１】図１は、実施形態に係る衛生洗浄装置を備えるトイレ装置およびトイレルームを示す概略斜視図である。
【図２】図２は、実施形態に係る衛生洗浄装置を示す概略斜視図である。
【図３】図３は、実施形態に係る衛生洗浄装置の要部構成を示すブロック図である。
【図４】図４は、脱臭ユニットの配置を示す概略平面図である。
【図５】図５は、脱臭ユニットを示す概略側断面図である。
【図６Ａ】図６Ａは、メイン排水路およびサブ排水路を示す概略平面図である。
【図６Ｂ】図６Ｂは、メイン排水路およびサブ排水路を示す概略斜視図である。
【図６Ｃ】図６Ｃは、サブ排水路およびバッファ部の高さ関係を示す説明図である。
【図７】図７は、漏水検知部の配置を示す概略平面図である。
【図８】図８は、漏水検知部による漏水検知の一例を示す説明図である。
【図９】図９は、漏水防止制御の処理手順の一例を示すフローチャートである。
【発明を実施するための形態】
【００２９】
以下、添付図面を参照して、本願の開示する衛生洗浄装置の実施形態を詳細に説明する。なお、以下に示す実施形態によりこの発明が限定されるものではない。
【００３０】
＜１．トイレ装置＞
まず、図１を参照して実施形態に係る衛生洗浄装置１０を備えるトイレ装置１について説明する。図１は、実施形態に係る衛生洗浄装置１０を備えるトイレ装置１およびトイレルーム１００を示す概略斜視図である。図１には、説明の便宜上、３次元の直交座標系を図示し、かかる直交座標系において、「前方」、「後方」、「左側方」、「右側方」、「上方」および「下方」を規定している。なお、座標系は、他の図においても図示している場合がある。
【００３１】
図１に示すように、トイレ装置１は、トイレルーム１００内に設置される。トイレ装置１は、洋式便器（以下、便器という）２と、衛生洗浄装置１０とを備える。便器２は、たとえば、陶器製である。便器２には、ボウル部２ａが形成される。ボウル部２ａは、下方に凹んだ形状であり、使用者の排泄物を受ける部位である。なお、便器２は、図示のような床置き式に限らず、壁掛け式でもよい。
【００３２】
衛生洗浄装置１０は、便器２の上面後部に取り付けられ、本体部１１と、便座１２と、便蓋１３とを備える。なお、衛生洗浄装置１０は、便器２と一体化するように取り付けられてもよいし、便器２に対して着脱可能に取り付けられてもよい。また、衛生洗浄装置１０は、トイレルーム１００の壁面に設置された操作部５１が使用者により操作されると、たとえば、便蓋１３を開閉したり、後述する機能部の各種機能を動作させる。衛生洗浄装置１０のさらなる構成については、図２および図３を用いて後述する。
【００３３】
なお、トイレ装置１は、たとえば、便器２の後部に洗浄水を貯留する洗浄水タンクが設置されてもよいし、洗浄水タンクが設置されない、いわゆるタンクレス式でもよい。また、トイレ装置１は、たとえば、サイホン作用を利用してボウル部２ａ内の汚物を引き込んでトラップ管路から排出する、いわゆるサイホン式でもよいし、たとえば、ボウル部２ａ内の洗浄水の落差による流水作用で汚物を押し流す、いわゆる洗い落し式でもよい。
【００３４】
＜２．衛生洗浄装置＞
次に、図２および図３を参照して実施形態に係る衛生洗浄装置１０について説明する。図２は、実施形態に係る衛生洗浄装置１０を示す概略斜視図である。図３は、実施形態に係る衛生洗浄装置１０の要部構成を示すブロック図である。上記したように、衛生洗浄装置１０は、本体部１１と、便座１２と、便蓋１３とを備える。
【００３５】
図２に示すように、便座１２および便蓋１３は、それそれの後部が本体部１１に軸支され、本体部１１に対して上下方向に揺動可能に取り付けられる。なお、便蓋１３は、衛生洗浄装置１０に必要に応じて取り付けられ、省略可能である。本体部１１は、ケーシング１４と、ノズルユニット１５とを備える。ケーシング１４は、ケースカバー１４ａと、ケースプレート１４ｂとを備える。ケーシング１４は、ノズルユニット１５を含む水路系、および機能部を内部に収容する。
【００３６】
ノズルユニット１５は、洗浄ノズル１５ａを備える。洗浄ノズル１５ａは、図示しない電動モータなどの駆動源の駆動により、ケーシング１４に対して進退可能である。また、洗浄ノズル１５ａは、図示しない水道管などの水源に接続される。洗浄ノズル１５ａは、ケーシング１４に対して進出している場合に、水源からの水を使用者の身体へ噴出させて局部を洗浄する。
【００３７】
このように、衛生洗浄装置１０は、使用者の局部を洗浄する機能を有する。なお、衛生洗浄装置１０は、局部洗浄機能の他、たとえば、便座１２に座った使用者のおしりなどに温風を吹き付けて乾燥させる乾燥機能や、便座１２の着座面を適温に温める便座暖房機能を有してもよい。
【００３８】
また、衛生洗浄装置１０は、その要部構成として、水路系と、機能部とを備える。図３に示すように、衛生洗浄装置１０は、水路系として、ノズルユニット１５と、洗浄水供給部２０と、ノズル洗浄室２７と、噴霧ノズル２８とを備える。衛生洗浄装置１０は、機能部として、脱臭ユニット４０を備える。衛生洗浄装置１０は、水路系および機能部の他、人体検知部（人体検知センサ）２９と、着座検知センサ３０と、漏水検知部（漏水検知センサ）３１と、報知部３２と、制御部５０とをさらに備える。
【００３９】
洗浄水供給部２０は、流路開閉弁２１と、熱交換器２２と、電解槽２３と、大気解放式のバキュームブレーカ（ＶＢ）２４と、電磁ポンプ２５と、流調・流路切替弁２６とを備える。流路開閉弁２１は、開閉可能な電磁バルブであり、制御部５０からの指令に基づいて、洗浄水の供給を制御する。流路開閉弁２１は、給水源から供給される洗浄水の給水と止水とを切り替える。
【００４０】
熱交換器２２は、流路開閉弁２１の下流に設けられる。熱交換器２２は、ヒータにより、給水源から供給された洗浄水を加熱して、たとえば、規定の温度まで昇温させる。熱交換器２２は、給水源から供給された洗浄水を、設定された温度の温水に変換する。なお、熱交換器２２は、たとえば、セラミックヒータなどを用いた瞬間加熱式の熱交換器でもよいし、貯湯タンクを用いた貯湯加熱式の熱交換器でもよい。熱交換器２２は、使用者が操作部５１を操作することにより、温水温度が設定される。
【００４１】
電解槽２３は、熱交換器２２の下流に設けられる。電解槽２３は、一対の電極を有し、制御部５０から出力された通電の制御信号に基づいて、電極間に流れる洗浄水（水道水）を電気分解する。電解槽２３は、洗浄水に含まれる塩素イオンを電気分解することにより、次亜塩素酸（ＨＣｌＯ）を含む水（以下、機能水という）を生成する。電解槽２３を通過した洗浄水および電解槽２３において生成された機能水は、電磁ポンプ２５を介して、ノズルユニット１５の洗浄ノズル１５ａに送られる。電磁ポンプ２５は、たとえば、洗浄ノズル１５ａに供給される洗浄水に脈動を与える。
【００４２】
洗浄ノズル１５ａは、噴水部１６を備える。噴水部１６は、たとえば、おしり洗浄噴水孔１６ａ、おしりソフト噴水孔１６ｂおよびビデ洗浄噴水孔１６ｃを備える。また、洗浄ノズル１５ａは、複数の流路ＦＣを備える。洗浄ノズル１５ａは、各流路ＦＣのそれぞれから供給された洗浄水を吐水可能である。
【００４３】
流調・流路切替弁２６は、電磁ポンプ２５と洗浄ノズル１５ａとの間に設けられ、電磁ポンプ２５を介して供給された洗浄水または機能水の行き先を、たとえば、洗浄ノズル１５ａにおける、おしり洗浄、おしりソフト、ビデ洗浄およびワイドビデ洗浄に向けた各流路ＦＣ、ノズル洗浄室２７、噴霧ノズル２８および後述する脱臭ユニット４０のいずれかに切り替える。
【００４４】
ノズル洗浄室２７は、洗浄吐水部２７ａを備える。ノズル洗浄室２７は、洗浄吐水部２７ａから洗浄水または機能水を吐水する。ノズル洗浄室２７は、洗浄ノズル１５ａの外周面の洗浄、いわゆる胴体洗浄を行う。噴霧ノズル２８は、便器２のボウル部２ａ（図１参照）の表面に洗浄水または機能水を噴霧する。
【００４５】
人体検知部である人体検知センサ２９は、たとえば、赤外線信号を用いた焦電センサであり、トイレ装置１（図１参照）が設置されたトイレルーム１００（図１参照）内に入室した使用者などの入室者を検知する。人体検知センサ２９は、検知信号を制御部５０へ出力する。着座検知センサ３０は、たとえば、赤外線投受光式の測距センサであり、使用者が便座１２（図１参照）に着座する直前において便座１２の上方に存在する人体や、便座１２に着座した使用者を検知する。着座検知センサ３０は、着座検知信号を制御部５０へ出力する。
【００４６】
漏水検知部である漏水検知センサ３１は、水の接触によって水の有無を検出する接触式センサである。漏水検知センサ３１は、ケーシング１４（図２参照）の内部の所定位置に設けられる。漏水検知センサ３１は、ケーシング１４の内部における水路系以外の機能部からの漏水を検知し、検知信号を制御部５０へ出力する。なお、漏水検知センサ３１の配置については、図７を用いて後述する。また、漏水検知センサ３１の構成については、図８を用いて後述する。
【００４７】
報知部３２は、たとえば、ＬＥＤランプやブザーであり、ケーシング１４に設けられる。なお、報知部３２は、トイレルーム１００の壁面に設けられた後述する操作部５１に設けられてもよい。報知部３２には、漏水検知センサ３１から検知信号を受けた制御部５０から出力される指令信号が入力される。
【００４８】
ここで、衛生洗浄装置１０の機能部である脱臭ユニット４０は、トイレルーム１００内の空気を吸い込み、吸い込んだ空気に含まれる臭気を吸収または分解する。脱臭ユニット４０は、臭気を吸収または分解した空気を、ケーシング１４の外部へ吐き出す。なお、トイレルーム１００内の空気とは、主として便器２の外部の空気（ボウル部２ａ内以外の空気）をいう。
【００４９】
脱臭ユニット４０は、集塵フィルタ４１と、送風ファン４２と、通風路４３と、脱臭フィルタ４４と、吐水部４５と、排水部４６と、吸気口４７と、排気口４８とを備える。脱臭ユニット４０は、トイレルーム１００内の空気が脱臭フィルタ４４の内部を通過することで、空気に含まれるアンモニア（ＮＨ３）やトリメチルアミン（（ＣＨ３）３Ｎ）などの悪臭成分が脱臭フィルタ４４に吸収または分解される。脱臭ユニット４０のさらなる構成については、図４および図５を用いて後述する。
【００５０】
制御部５０は、水路系および機能部の動作を制御する。制御部５０は、たとえば、操作部５１から入力される操作指示に基づいて、上記した各部の動作を制御する。操作部５１は、図１に示すように、トイレルーム１００の壁面に設けられる他、衛生洗浄装置１０の本体部１１（図２参照）に設けられてもよい。操作部５１は、いわゆるリモコンでもよい。制御部５０と操作部５１との間は、有線通信でもよいし、無線通信でもよい。
【００５１】
また、制御部５０は、たとえば、人体検知センサ２９による使用者の入室の検知に基づいて、噴霧ノズル２８から便器２のボウル部２ａの表面に水滴を噴霧する。これにより、ボウル部２ａの表面に汚物が付着するのを抑えることができる。
【００５２】
また、制御部５０は、たとえば、人体検知センサ２９がトイレルーム１００内の使用者を検知しなくなってから所定時間（たとえば、９０秒程度）が経過すると、噴霧ノズル２８からボウル部２ａの表面に向けて機能水を噴霧する。これにより、悪臭のもとになる菌がボウル部２ａ内で増えることを抑制し、便器２から悪臭が放出されるのを抑えることができる。
【００５３】
また、制御部５０は、漏水検知センサ３１によってケーシング１４の内部で漏水が検知されると、報知部３２に報知させる。これにより、ケーシング１４の内部の漏水がケーシング１４の外部まで漏れ出す、すなわち、ケーシング１４外部への漏水についていち早く対応することができる。なお、制御部５０による漏水防止制御については、図９を用いて後述する。
【００５４】
＜３．脱臭ユニット＞
次に、図４および図５を参照して衛生洗浄装置１０の機能部である脱臭ユニット４０について説明する。図４は、脱臭ユニット４０の配置を示す概略平面図である。図５は、脱臭ユニット４０を示す概略側断面図であり、図４におけるＩ−Ｉ線の断面図である。なお、図４においては、ケースカバー１４ａの右半部を省略し、便器２を想像線（二点鎖線）で示している。
【００５５】
図４に示すように、ケーシング１４のケースプレート１４ｂは、便器２の上面におけるボウル部２ａの後方に取り付けられる。ケースプレート１４ｂは、平面視においてボウル部２ａ後部の内周縁の一部と重なるように配置される。衛生洗浄装置１０は、上記したように、水路系と、機能部とを収容する。水路系は、ケースプレート１４ｂ上の左半部に配置される。機能部は、ケースプレート１４ｂ上の右半部に配置される。
【００５６】
図４に示すように、衛生洗浄装置１０は、脱臭ユニット（室内脱臭ユニットともいう）４０を備える。脱臭ユニット４０は、ケースプレート１４ｂ上の右側端部に配置される。脱臭ユニット４０は、トイレルーム１００（図１参照）内の空気を吸引して脱臭する。脱臭ユニット４０は、上記したように、集塵フィルタ４１と、送風ファン４２と、通風路４３と、脱臭フィルタ４４と、吐水部４５と、排水部４６と、吸気口４７と、排気口４８とを備える。
【００５７】
図５に示すように、集塵フィルタ４１は、吸気口４７と送風ファン４２との間に設けられる。集塵フィルタ４１は、送風ファン４２によって吸引された空気中の塵埃を捕集して送風ファン４２に塵埃が付着することを抑える。
【００５８】
送風ファン４２は、上記したように、トイレルーム１００（図１参照）内の空気を吸引する。送風ファン４２は、たとえば、樹脂製のシロッコファンであり、内部に設けられた複数の羽が回転することで、吸気口４７からトイレルーム１００内の空気を吸引し、吸引した空気を排気口４８から再度トイレルーム１００内に吐き出す。なお、送風ファン４２は、シロッコファンに限定されず、ターボファンなどの他の種類のファンでもよい。
【００５９】
通風路４３は、送風ファン４２によって吸引された空気の流路である。図示の例では、通風路４３は、前方から後方に向けて空気が流れるように形成される。脱臭フィルタ４４は、通風路４３に設けられる。また、脱臭フィルタ４４は、送風ファン４２と排気口４８との間に設けられる。脱臭フィルタ４４は、通風路４３を流れる空気を通過させる。
【００６０】
脱臭フィルタ４４は、上記したように、通風路４３に設けられる。また、脱臭フィルタ４４は、送風ファン４２と排気口４８との間に設けられる。脱臭フィルタ４４は、たとえば、セラミックスを含む多孔質構造のフィルタである。
【００６１】
吐水部４５は、脱臭フィルタ４４の上方に設けられる。吐水部４５は、たとえば、電磁バルブを備え、制御部５０（図３参照）の制御に基づいて電磁バルブの開弁動作を行い、流調・流路切替弁２６（図３参照）から供給された洗浄水や機能水を、吐水口４５ａから、図中の矢線Ａにて示すように、脱臭フィルタ４４の上方から脱臭フィルタ４４の上部に向けて定期的に吐水（噴霧）する。排水部４６は、脱臭フィルタ４４の下方に設けられ、吐水部４５により供給され脱臭フィルタ４４の下部から排出される洗浄水や機能水を受ける。
【００６２】
上記した脱臭ユニット４０においては、送風ファン４２が作動すると、吸気口４７から吸い込まれたトイレルーム１００内の空気が、脱臭フィルタ４４の内部を通過する。脱臭フィルタ４４が水分を保持した状態で空気が脱臭フィルタ４４の内部を通過すると、空気中の悪臭成分が、脱臭フィルタ４４に保持された水分に取り込まれる。たとえば、空気に含まれるアンモニア（ＮＨ３）は、脱臭フィルタ４４に保持された水分に溶解する。これにより、臭気を低減させることができる。
【００６３】
また、臭気が低減された空気は排気口４８からトイレルーム１００に排出される。このように、脱臭ユニット４０は、トイレルーム１００内に常在する臭気（悪臭成分）を吸収または分解することができる。これにより、使用者は、トイレルーム１００に入室した場合にトイレルーム１００内に常在する臭気を吸う可能性が低くなり、快適にトイレルーム１００を利用することができる。
【００６４】
ここで、図４に戻り、衛生洗浄装置１０は、機能部として、脱臭ユニット４０の他、便器脱臭ユニット６０と、結露防止の送風源である結露防止ユニット７０とを備える。図４に示すように、便器脱臭ユニット６０は、送風ファン６１を備え、便器２のボウル部２ａ内の空気を吸引して脱臭する。送風ファン６１は、たとえば、シロッコファンである。
【００６５】
結露防止ユニット７０は、送風ファン７１を備え、トイレルーム１００内の空気を吸引してケーシング１４の内部に供給し、ケーシング１４の内部を換気して結露の発生を防止する。送風ファン７１は、たとえば、プロペラファンである。
【００６６】
上記した脱臭ユニット４０を含むこれら機能部のうち、脱臭ユニット４０および結露防止ユニット７０は、ケースプレート１４ｂ上における右側端部に前後に並んで配置される。また、便器脱臭ユニット６０は、脱臭ユニット４０の左側方に配置される。すなわち、脱臭ユニット４０および便器脱臭ユニット６０は、左右方向に並んで配置される。
【００６７】
＜４．メイン排水路およびサブ排水路＞
次に、図６Ａおよび図６Ｂを参照して機能部（脱臭ユニット４０）から漏れ出た水を排水するメイン排水路８１およびサブ排水路８２について説明する。図６Ａは、メイン排水路８１およびサブ排水路８２を示す概略平面図である。図６Ｂは、メイン排水路８１およびサブ排水路８２を示す概略斜視図である。図６Ｃは、サブ排水路８２およびバッファ部８３の高さ関係を示す説明図であり、図６ＡにおけるＩＩ−ＩＩ線の模式的な断面図である。なお、図６Ａにおいては、メイン排水路８１およびサブ排水路８２（およびバッファ部８３）を強調するために、これらに斜線を付している。
【００６８】
図６Ａに示すように、衛生洗浄装置１０は、ケーシング１４のケースプレート１４ｂに洗浄ノズル１５ａ（図３参照）を含む水路系から排出された水をケーシング１４の外部、具体的には、便器２のボウル部２ａへ導く排水路１７を備える。ここで、これまでは、機能部から漏れ出る水に対する排水路については考慮されていなかった。
【００６９】
ところが、機能部である脱臭ユニット４０は、脱臭フィルタ４４（図３参照）に洗浄水や機能水を供給するため、脱臭ユニット４０からも水が漏れ出る可能性がある。なお、脱臭ユニット４０においては、脱臭フィルタ４４に供給された洗浄水や機能水は排水部４６によってケーシング１４の外部に排出されるが、たとえば、排水部４６に残存している水が原因でバイオ膜が形成されることがあり、バイオ膜が排水部４６の排水口を塞ぐことで排水部４６から水が溢れ出すことがある。このため、衛生洗浄装置１０は、機能部である脱臭ユニット４０から漏れ出る水に対する排水路を備える。
【００７０】
図６Ａおよび図６Ｂに示すように、衛生洗浄装置１０は、脱臭ユニット４０から漏れ出た水に対する排水路（以下、メイン排水路という）８１を備える。メイン排水路８１は、水路系の排水路１７とは異なる排水路である。メイン排水路８１は、ケースプレート１４ｂの面上に形成され、ケーシング１４の内部において脱臭ユニット４０から漏れ出た水を便器２のボウル部２ａへ導く排水路である。
【００７１】
メイン排水路８１は、脱臭ユニット４０の排水部４６からケーシング１４前部の中央部において便器２のボウル部２ａを臨むように形成された排出口８１１まで延びている。脱臭ユニット４０から漏れ出た水は、図６Ｂ中の矢線Ｂ１で示すように、メイン排水路８１を流れて便器２のボウル部２ａ内に排出される。
【００７２】
また、衛生洗浄装置１０は、脱臭ユニット４０から漏れ出た水に対する排水路として、サブ排水路８２をさらに備える。サブ排水路８２は、ケースプレート１４ｂの面上に形成され、メイン排水路８１から漏れ出た水を便器２のボウル部２ａへ導く排水路である。
【００７３】
サブ排水路８２は、脱臭ユニット４０の排水部４６からケーシング１４前部の右側部において便器２のボウル部２ａを臨むように形成された排出口８２１まで延びている。メイン排水路８１から漏れ出た水は、図６Ｂ中の矢線Ｂ２で示すように、サブ排水路８２を流れて便器２のボウル部２ａ内に排出される。サブ排水路８２は、結露防止ユニット７０の近傍を通過する経路であることが好ましい。
【００７４】
サブ排水路８２は、サブ排水路８２を流れる水を一時的に貯留可能なバッファ部８３を備える。バッファ部８３は、サブ排水路８２の経路中に設けられる。バッファ部８３は、たとえば、サブ排水路８２の下流側、サブ排水路８２の排出口８２１の周辺に設けられる。
【００７５】
また、図６Ｃに示すように、ケースプレート１４ｂ上、バッファ部８３の底面８３１の高さは、サブ排水路８２の他の位置の底面８２２の高さよりも低い。すなわち、バッファ部８３は、サブ排水路８２の経路中において高さが最も低い。なお、バッファ部８３の底面８３１の高さは、メイン排水路８１の底面８１２より低くてもよい。
【００７６】
このように、機能部である脱臭ユニット４０から漏れ出た水に対するメイン排水路８１を備えることで、ケーシング１４の内部において脱臭ユニット４０から水が漏れ出ることを抑えることができる。また、サブ排水路８２をさらに備えることで、脱臭ユニット４０から水が漏れ出ることをより確実に抑えることができ、サブ排水路８２にバッファ部８３が設けられることで、さらに確実となる。
【００７７】
＜５．漏水検知部（漏水検知センサ）＞
次に、図７および図８を参照して漏水検知部（漏水検知センサ）３１について説明する。図７は、漏水検知部（漏水検知センサ）３１の配置を示す概略平面図である。なお、図７においては、漏水検知センサ３１を強調するために、これに斜線を付している。また、図７には、漏水検知部である漏水検知センサ３１の配置の好適な例を示すために漏水検知センサ３１を複数記載しているが、漏水検知センサ３１はいずれか１つあればよい。
【００７８】
図７に示すように、漏水検知センサ３１は、ケーシング１４の内部のケースプレート１４ｂ上において、水路系の排水路１７（図６Ａ参照）以外の位置に配置される。また、漏水検知センサ３１は、メイン排水路８１以外の位置に配置される。漏水検知センサ３１は、サブ排水路８２に配置される。
【００７９】
漏水検知センサ３１は、サブ排水路８２における他の位置とバッファ部８３との境界近傍に配置されることが好ましい。また、漏水検知センサ３１は、サブ排水路８２におけるバッファ部８３よりも上流に設けられることがより好ましい。
【００８０】
図８は、漏水検知部（漏水検知センサ）３１による漏水検知の一例を示す説明図である。なお、図８には、図中上部に水非検知状態、図中下部に水検知状態を示している。上記したように、漏水検知センサ３１は、水の接触によって水の有無を検出する静電センサなどの接触式センサである。図８に示すように、漏水検知センサ３１は、基部３１１と、複数（２つ）の電極３１２，３１３とを備える。
【００８１】
基部３１１は、２つの電極３１２，３１３を支持する。２つの電極３１２，３１３は、基部３１１上で離間して配置され、一方の電極３１２は、電力供給源に接続され、他方の電極３１３は接地される。
【００８２】
漏水検知センサ３１は、水非検知状態では、２つの電極３１２，３１３の間の抵抗が大きいが、水検知状態になると、すなわち、漏水検知センサ３１に対して水Ｗが接触すると、２つの電極３１２，３１３の間を水Ｗによって接続して通電するため、２つの電極３１２，３１３の間を電気（電流）Ｅが流れやすくなり、２つの電極３１２，３１３の間の抵抗が小さくなる。このような２つの電極３１２，３１３の間の抵抗の変化によって水Ｗの有無を検出することができる。
【００８３】
この場合、漏水検知センサ３１によって検出された水は、サブ排水路８２（図７参照）を流れる水であるため、脱臭ユニット４０（図７参照）から漏れ出し、メイン排水路８１（図７参照）からも溢れ出した水である。このため、漏水検知センサ３１から制御部５０（図３参照）に抵抗変化の信号が出力されると、制御部５０において漏水と判定される。
【００８４】
また、漏水検知センサ３１は、水を検知してから所定時間経過後に再度水を検知した場合に、脱臭ユニット４０から漏れ出た水として検知する。具体的には、制御部５０に漏水検知センサ３１からの抵抗変化の信号が入力され、所定時間経過後に再度信号が入力されることで、制御部５０において漏水と判定される。
【００８５】
＜６．漏水防止制御＞
次に、図９を参照して制御部５０による漏水防止制御について説明する。図９は、漏水防止制御の処理手順の一例を示すフローチャートである。上記したように、制御部５０は、漏水検知センサ３１からの抵抗変化の信号が入力され、所定時間経過後に再度信号が入力されることで、ケーシング１４の内部における漏水と判定する。この場合、図９に示すように、まず、制御部５０は、漏水検知センサ３１によって水が検知されたか否かを判定する（ステップＳ１０１）。
【００８６】
制御部５０は、ステップＳ１０１の処理において水が検知された場合（ステップＳ１０１：Ｙｅｓ）、機能部である脱臭ユニット４０を一定時間駆動し、所定時間経過後に再度水が検知されたか否かを判定する（ステップＳ１０２）。ステップＳ１０１の処理において水が検知されない場合（ステップＳ１０１：Ｎｏ）は、水が検知されるまでステップＳ１０１の処理を繰り返す。すなわち、脱臭ユニット４０の通常動作を継続させる。
【００８７】
次いで、制御部５０は、ステップＳ１０２の処理において再度水が検知された場合（ステップＳ１０２：Ｙｅｓ）、脱臭ユニット４０において吐水部４５から脱臭フィルタ４４への水の供給を停止させ（ステップＳ１０３）、報知部３２に漏水を報知させる（ステップＳ１０４）。なお、報知部３２による漏水報知には、たとえば、ＬＥＤランプの点灯やブザー音などがある。ステップＳ１０２の処理において再度水が検知されない場合（ステップＳ１０２：Ｎｏ）は、ステップＳ１０１の処理に戻る。すなわち、脱臭ユニット４０の通常動作を継続させる。
【００８８】
このように、実施形態に係る衛生洗浄装置１０によれば、漏水検知センサ３１が水路系の排水路１７以外の位置に配置されることで、機能部である脱臭ユニット４０から水が漏れ出た場合に、漏水検知センサ３１によってこの漏水を検知することができる。また、メイン排水路８１を備えることで、メイン排水路８１によって脱臭ユニット４０から漏れ出た水を排出することができ、さらに、メイン排水路８１から水が漏れ出た場合でも、漏水検知センサ３１によってこの漏水を検知することができる。
【００８９】
また、サブ排水路８２を備えることで、サブ排水路８２によってメイン排水路８１から漏れ出た水を排出することができるとともに、メイン排水路８１からの漏水を漏水検知センサ３１によって直接検知することができる。
【００９０】
また、漏水検知センサ３１によって脱臭ユニット４０からの漏水を検知した場合に脱臭ユニット４０の吐水部４５の吐水を停止することで、ケーシング１４外部への漏水を抑えることができる。このように、ケーシング１４外部への漏水についていち早く対応することができる。
【００９１】
また、サブ排水路８２に水を一時的に貯留可能なバッファ部８３が設けられることで、サブ排水路８２によってメイン排水路８１から漏れ出た水を排出する場合に、漏水を検知した初期段階においてバッファ部８３に水が溜まるため、漏水を検知してからケーシング１４外部に水が漏れ出すまでの時間を稼ぐことができる。
【００９２】
また、漏水検知センサ３１が結露防止ユニット７０の近傍に配置されることで、漏水検知センサ３１が結露に濡れることを抑えることができ、漏水検知センサ３１が漏水以外の結露を検知するといった誤検知を防止することができる。
【００９３】
また、定期的に機能水を吐出することから水が漏れ出す可能性が高い脱臭ユニット４０からの漏水を検知することができる。これにより、ケーシング１４外部への漏水をより効果的に抑えることができる。また、漏水検知センサ３１が一定時間内に複数回水を検知することで、脱臭ユニット４０からの漏水と判断することができるため、結露などの漏水以外の検知（誤検知）を防止することができる。これにより、ケーシング１４外部への漏水をより確実に抑えることができる。
【００９４】
また、機能部が脱臭ユニット４０の場合には、漏水検知センサ３１が脱臭ユニット４０からの漏水を検知した場合にこの脱臭ユニット４０のみの機能を停止することで、機能部における他の機能を停止することなく、すなわち、使い勝手を落とすことなく、ケーシング１４外部への漏水を抑えることができる。
【００９５】
また、漏水検知センサ３１が接触式センサであるため、少量の水で漏水検知が可能となり、かつ、漏水検知センサ３１に対して水のヘッド圧しかかからないため、漏水検知を簡素な構成で実現することができる。
【００９６】
ここで、図３に戻り、機能部である脱臭ユニット４０は、人体検知部である人体検知センサ２９が人を検知していないタイミングで吐水部４５から機能水を脱臭フィルタ４４へ供給する。この場合、漏水検知センサ３１は、脱臭ユニット４０の吐水部４５から機能水が供給されるタイミングで水を検知した場合に、脱臭ユニット４０から漏れ出た水として検知する。なお、これらの制御は、制御部５０によって行う。
【００９７】
このような構成によれば、漏水検知センサ３１が脱臭ユニット４０の吐水部４５において機能水を吐水するタイミングで水を検知することで、脱臭ユニット４０からの漏水と判断することができる。また、漏水検知センサ３１による水の検知が、人がいないタイミングに限定されるため、たとえば、清掃時に浸入した水や機能部の他の機能による水（たとえば、おしり洗浄時の結露）などの漏水以外の検知（誤検知）を防止することができる。
【００９８】
なお、上記した実施形態では、漏水検知センサ３１がサブ排水路に配置される構成としているが、漏水検知センサ３１がケースプレート１４ｂの上面における水路系の排水路１７以外の任意の位置に配置される構成としてもよい。このような構成でも、たとえば、機能部である脱臭ユニット４０から水が漏れ出た場合には漏水検知センサ３１によってこの漏水を検知することができる。
【００９９】
また、この場合、漏水検知センサ３１は、ケースプレート１４ｂの上面において水が集まりやすい低い位置に配置されることが好ましい。このような構成によれば、ケーシング１４外部に漏水する前の水が集まる位置において水を検知することができるため、ケーシング１４外部への漏水を抑えることができ、また、ケーシング１４外部への漏水についていち早く対応することができる。
【０１００】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１０１】
２    便器
１０    衛生洗浄装置
１４    ケーシング
１７    排水路
２９    人体検知部
３１    漏水検知部
４０    機能部（脱臭ユニット）
４５    吐水部
７０    機能部（結露防止ユニット）
８１    メイン排水路
８２    サブ排水路
８３    バッファ部
【図１】
2019167780.tif 000003
【図２】
2019167780.tif 000004
【図３】
2019167780.tif 000005
【図４】
2019167780.tif 000006
【図５】
2019167780.tif 000007
【図６Ａ】
2019167780.tif 000008
【図６Ｂ】
2019167780.tif 000009
【図６Ｃ】
2019167780.tif 000010
【図７】
2019167780.tif 000011
【図８】
2019167780.tif 000012
【図９】
2019167780.tif 000013